(57)【要約】【課題】ループ状の取っ手Ｈを有するカップＣを、カップＣの飲み口を下方に向けて吊り下げるための吊り下げ具を提供する。【解決手段】  吊り下げ具は、上下方向に伸びる支柱１と、支柱１の上部に設けられた吊り下げ用の係止部２と、支柱１に設けられた３本以上の枝部３と、を備える。３本以上の枝部３は、支柱１の少なくとも一方の側面から先端が斜め上方に位置するように突出する。枝部３のそれぞれは、支柱１の上下方向に対して間隔Ｌ１を保って設けられる。間隔Ｌ１はカップＣの取っ手Ｈ部分が挿入可能な寸法である。枝部３の外形寸法と間隔Ｌ１は、所定寸法の取っ手Ｈの内側に複数の枝部３が挿入可能な寸法である。【選択図】図１
2020185140.tif 000002
【特許請求の範囲】
【請求項１】
上部が開口したカップ本体の側面にループ状の取っ手が設けられたカップの吊り下げ具であって、
上下方向に伸びる支柱と、
前記支柱の上部に設けられた吊り下げ用の係止部と、
前記支柱に設けられた３本以上の枝部と、を備え、
前記３本以上の枝部は、前記支柱の少なくとも一方の側面から先端が斜め上方に位置するように突出し、
前記枝部のそれぞれは、支柱の上下方向に対して間隔を保って設けられ、
前記間隔は前記カップの取っ手部分が挿入可能な寸法であり、
前記枝部の外形寸法と前記間隔は、所定寸法の前記取っ手の内側に複数の前記枝部が挿入可能な寸法である吊り下げ具。
【請求項２】
前記係止部は、フック、ねじ止め、吸盤のいずれかひとつである請求項１に記載の吊り下げ具。
【請求項３】
前記３本以上の枝部が、前記支柱の側面の各方向にそれぞれ設けられている請求項１または請求項２に記載の吊り下げ具。
【請求項４】
前記支柱が間隔を保って複数本設けられ、各支柱にそれぞれ前記３本以上の枝部が設けられている請求項１から請求項３のいずれかに記載の吊り下げ具。
【請求項５】
前記支柱に、前記枝部に加えて、洗面具、調理器具、食器類の少なくとも一つの保持部が設けられている請求項１から請求項４のいずれかに記載の吊り下げ具。
【請求項６】
前記枝部が、洗面具、調理器具、食器類の少なくとも一つを係止するフック状の部材である請求項１から請求項４のいずれかに記載の吊り下げ具。
【請求項７】
前記間隔が、前記所定寸法の取っ手の断面外径とほぼ同一の大きさであり、前記枝部が前記支柱の上部から下部にかけて櫛歯状に配置されている請求項１から請求項３のいずれかに記載の吊り下げ具。
【請求項８】
前記支柱に、デザイン表示部が設けられている請求項１から請求項７のいずれかに記載の吊り下げ具。
【発明の詳細な説明】
【技術分野】
【０００１】
本発明は、カップやキッチン用品を吊り下げる吊り下げ具に関する。
【背景技術】
【０００２】
キッチンや洗面台等で使用されるループ状の取っ手を有するカップは、使用後、壁などに固定した吊り下げ具に取っ手を掛けて吊り下げるが、カップの重心は底側にあるため、吊り下げ具を支点としてカップが回転し、飲み口が上方に向いてしまう。このため、水切りが悪くカップ内に水滴が残り易く、特に夏場などはカップ内で雑菌が繁殖するおそれがある。また、飲み口が上方を向いているために、カップ内に塵埃などが入るおそれもあり、いずれにせよ不衛生である。
【０００３】
このような問題点に対して、例えば特許文献１に開示されるように、上下方向に間隔を有する２つのフックをループ状の取っ手に挿入することで、飲み口が上方へ向くことを防ぐことができる。すなわち、カップの重心によって上側フックを支点としたカップの回転を、下側フックが阻止することで、カップの飲み口を下方に向けたまま吊り下げることができる。
【先行技術文献】
【特許文献】
【０００４】
【特許文献１】特開２０１０−１７２８７号公報
【発明の概要】
【発明が解決しようとする課題】
【０００５】
しかしながら、特許文献１の２つのフックは両者の間隔を調整できないことから、大きな取っ手を有するカップでは下側フックがカップの回転を防ぐことができないといった問題がある。最近ではデザインを重視した大きな取っ手を有するカップも珍しくないため、このような問題が生じることもまた珍しくない。要するに、特許文献１では、発明を適用できるカップの取っ手の大きさに制限があった。
【０００６】
更にまた、従来技術は、カップ自体を吊り下げることはできても、他の食器類やキッチン用品を吊り下げることができなかった。すなわち、スプーンやフォーク、お箸などは、水切りのために、水切りかごなどを使うが、時に衛生的でないこともある。歯ブラシも、持ち手の部分を歯ブラシたてにたてるなど、柄の部分が衛生的ではない。お玉や、フライ返しなどは、そのもの自体についている吊り下げ孔や吊り下げ輪によって吊り下げるしかなかった。
【０００７】
本発明の目的は、様々な大きさの取っ手を有するカップに適用可能な、飲み口を下方に向けて吊り下げる吊り下げ具を提供することである。
【課題を解決するための手段】
【０００８】
上記の目的を達成するために、本発明は、上部が開口したカップ本体の側面にループ状の取っ手が設けられたカップの吊り下げ具において、次の構成を有する。
（１）上下方向に伸びる支柱と、前記支柱の上部に設けられた吊り下げ用の係止部と、前記支柱に設けられた３本以上の枝部と、を備える。
（２）前記３本以上の枝部は、前記支柱の少なくとも一方の側面から先端が斜め上方に位置するように突出する。
（３）前記枝部のそれぞれは、支柱の上下方向に対して間隔を保って設けられる。
（４）前記間隔は前記カップの取っ手部分が挿入可能な寸法である。
（５）前記枝部の外形寸法と前記間隔は、所定寸法の前記取っ手の内側に複数の前記枝部が挿入可能な寸法である。
【０００９】
本発明において、次のような構成を採用することもできる。
（１）前記係止部は、フック、ねじ止め、吸盤のいずれかひとつである。
（２）前記３本以上の枝部が、前記支柱の側面の各方向にそれぞれ設けられている。
（３）前記支柱が間隔を保って複数本設けられ、各支柱にそれぞれ前記３本以上の枝部が設けられている。
（４）前記支柱に、前記枝部に加えて、洗面具、調理器具、食器類の少なくとも一つの保持部が設けられている。
（５）前記枝部が、洗面具、調理器具、食器類の少なくとも一つを係止するフック状の部材である。
（６）前記間隔が、前記所定寸法の取っ手の断面外径とほぼ同一の大きさであり、前記枝部が前記支柱の上部から下部にかけて櫛歯状に配置されている。
（７）前記支柱に、デザイン表示部が設けられている。
【発明の効果】
【００１０】
本発明の吊り下げ具は、取っ手の寸法が異なる様々な形状のカップを、飲み口を下方に向けて吊り下げることが可能であり、その結果、カップ内に水滴が残留しにくく、カップを衛生的に乾燥させることができる。
【図面の簡単な説明】
【００１１】
【図１】第１の実施形態を示す斜視図。
【図２】第１の実施形態の使用例を示す斜視図。
【図３】第２の実施形態を示す斜視図。
【図４】第２の実施形態の使用例を示す斜視図。
【図５】第３の実施形態を示す斜視図。
【図６】第３の実施形態の使用例を示す斜視図。
【図７】第４の実施形態を示す斜視図。
【図８】第４の実施形態の使用例を示す斜視図。
【図９】第５の実施形態を示す斜視図。
【図１０】第５の実施形態の使用例を示す斜視図。
【図１１】第６の実施形態を示す斜視図。
【図１２】第６の実施形態の使用例を示す斜視図。
【図１３】第７の実施形態を示す斜視図。
【図１４】第７の施形態の使用例を示す斜視図。
【図１５】第８の実施形態を示す斜視図。
【図１６】第８の実施形態の使用例を示す斜視図。
【発明を実施するための形態】
【００１２】
［１．第１の実施形態］
［１−１．構成］
図１に示すように、本実施形態の吊り下げ具は、上下方向に延びる１本の支柱１の上部に湾曲したフック状の係止部２を設けると共に、支柱１の側面に等間隔で４本の枝部３を設けたものである。各枝部３は、湾曲したフック状の部材で、その先端が支柱１との連結部分よりも斜め上方に位置し、先端と支柱１との間にカップＣの取っ手Ｈが入り込むことのできる隙間が設けられている。
【００１３】
各枝部３は、支柱１の側面の同じ方向に、且つ支柱１の上下方向に対して等間隔で設けられている。この間隔Ｌ１は、標準的なカップＣの取っ手Ｈが挿入可能な寸法、すなわち、ループ状に形成された取っ手Ｈの断面寸法Ｈ１よりも広くなっている。また、各枝部３の断面外形寸法Ｌ２と間隔Ｌ１は、取っ手Ｈの内側に２本の枝部３が挿入可能な寸法、すなわち取っ手の内周寸法Ｈ２＞Ｌ１＋２×Ｌ２である。なお、枝部３の間隔Ｌ１を等間隔とすることなく、大小中のカップＣの取っ手Ｈの寸法に合わせて、上から順、またはその逆に少しずつ狭くしていくこともできる。
【００１４】
標準的なカップＣとは、本実施形態の吊り下げ具を専ら使用する状況によって定まる。主として比較的大きな取っ手を有するマグカップを吊り下げる場合と、コーヒーカップや紅茶カップ、更には幼稚園や学校などで幼児や子供用のカップを吊り下げる場合とでは、吊り下げ対象となるカップの取っ手寸法が異なってくる。このように、用途に応じて、標準的なカップが異なることから、間隔Ｌ１もそれに合わせて変化する。ただし、本実施形態の吊り下げ具は、標準的なカップ以外の取っ手寸法の異なるカップについても逆さまに吊り下げ可能であるから、統計上最も一般的な取っ手の寸法に合わせて間隔Ｌ１を決定することができる。
【００１５】
本実施形態の吊り下げ具の材質は、支柱１に枝部３を溶接したステンレス製の針金や、支柱１、係止部２及び枝部３を一体にプレス加工したステンレス製の金属板、針金や金属板の表面に錆び防止のために塗装やビニールなどの被覆を設けたもの、プラスチックの成型品、木材などによって製造することができる。
【００１６】
［１−２．作用］
本実施形態の吊り下げ具は、食器棚や壁に設けられた突起や棒などの部材に、支柱１の上部の係止部２を引っ掛けることで、図１に示すように支柱１が垂直方向になるように吊り下げて使用する。この状態で、図２に示すように、カップＣをその飲み口が下になる方向で、取っ手Ｈを上から２本の枝部３に挿入する。取っ手Ｈに２本の枝部３が挿入されると、上方の枝部３の先端が支柱１との連結部分よりも上方に位置しているので、上方の枝部３の先端が取っ手Ｈの縁と係止してカップＣが枝部３から脱落することを防止する。また、カップＣの重心によって、上方の枝部３を中心としてカップＣが飲み口が上を向く方向に回動しようとするが、下方の枝部３が取っ手Ｈに当たりカップＣの回動が阻止されるため、カップＣは飲み口を下に向けたまま、吊り下げ具によって保持される。
【００１７】
カップＣの取っ手Ｈが、２本の枝部３の間隔よりも大きい場合には、３本またはそれ以上の枝部３を取っ手Ｈ内に挿入する。その場合、下方の枝部３によってカップＣの回動が阻止される。また、図２のように、大きな取っ手Ｈの場合に、上方の２本の枝部３を取っ手Ｈの内側に挿入し、３番目の枝部３を取っ手Ｈの外側から取っ手ＨやカップＣの側面に係止させることで、カップＣの回動を阻止しても良い。小型のカップで、取っ手Ｈの寸法が２本の枝部３の間隔よりも狭い場合には、１本の枝部３を取っ手Ｈ内に挿入して、下段の枝部３を取っ手Ｈの外側から取っ手ＨやカップＣの側面に係止させることで、カップＣの回動を阻止しても良い。
【００１８】
［１−３．効果］
本実施形態の吊り下げ具は、飲み口を下方に向けたカップＣの取っ手Ｈに枝部３が２本挿入されることにより、上方の枝部３を支点としてカップＣが回転することを下方の枝部３が防止する。さらに、取っ手Ｃの寸法が大小異なる場合であっても、取っ手Ｈ内に挿入する枝部３の本数を増減することで、どのような寸法の取っ手であっても、確実にカップＣの飲み口を下方に向けて吊り下げることができる。
【００１９】
［２．第２の実施形態］
図３に示すように、第２の実施の形態は、複数本の支柱１を垂直方向に平行に配置すると共に、それらの上部を板状の係止部２によって連結したものである。板状の係止部２には、ねじ孔あるいは接着剤が設けられ、図３に示すように、例えばキッチンや洗面所の棚板の下面に係止できるようになっている。また、２本の支柱に設けられた各枝部３は、左右の支柱で反対方向、すなわち係止部２の延長方向に突出している。
【００２０】
このような構成の第２の実施形態では、各枝部３に対して第１の実施形態と同様な方法でカップＣを吊り下げることができる。また、左右の支柱１で枝部３の方向が反対になっているので、各支柱１の枝部３に掛けたカップＣ同士が干渉し合うこともない。図４のカップの吊り下げ方は、第１の実施の形態で説明した取っ手Ｈが２本の枝部３の間隔よりも小さい場合に、１本の枝部３のみを挿入し、その下段の枝部３にカップＣの側面を係止させた状態である。
【００２１】
［３．第３の実施形態］
第３の実施形態は、第２の実施形態の変形例であって、図５及び図６に示すように、２本の支柱に設ける枝部３の方向を同方向、すなわち手前方向に平行に配置したものである。本実施形態においては、各支柱１の枝部３にそれぞれカップＣを掛けるだけでなく、２本の支柱１の枝部３の間に例えばキッチン用品の柄を掛けて乾燥させることもできる。本実施形態によれば、カップＣと同じ場所でキッチン用品も乾燥させることができるので、収納スペースを節約することができる。
【００２２】
［４．第４の実施形態］
第１の実施形態の吊り下げ具は、係止部２としてフック状の部材を採用したが、本実施形態では、図７及び図８に示すように、係止部２として壁に吸着する吸盤を採用した。本実施形態の吊り下げ具は、壁に吸盤を吸着させることが出来るので、壁から突出した部材がない場所でも固定することができる。本発明の係止部２としては、吸盤やねじ止め、接着剤以外に様々な構造のものを使用することができる。たとえば、棚板の縁を上下から挟み込んでねじ止めするものや、磁石なども使用できる。さらに、支柱１と係止部２とを別部材で構成し、使用時に両者を連結するものでも良い。
【００２３】
［５．第５の実施形態］
第１乃至４の実施形態の吊り下げ具は、支柱１の同じ側に複数の枝部３を設けたが、本実施形態では他の側にも複数の枝部３を設けた。具体的には、図９及び図１０に示すように、吊り下げ具の周方向に概略９０°ごとに複数の枝部３を設けた。本実施形態の吊り下げ具は、カップＣを掛ける向きや位置の自由度が大きくなると共に、１本の支柱１に掛けることのできるカップＣの数を増やすことができる。
【００２４】
［６．第６の実施形態］
本実施形態は、吊り下げ具に対してデザインを施したものである。例えば、図１１に示すように、支柱１の上部には猫の顔を模したデザイン表示部５が設けられ、支柱１が猫の胴体、枝部３が足や尻尾の形状になっている。また、本実施形態では、カップＣを引っ掛ける枝部３に加えて、スプーンやフォークなどのようにループ状の取っ手Ｈを持たない製品を引っ掛けるための専用の保持部４を設けたものである。この保持部４は、枝部３の先端に設けられたリング状の部材で、図１２に示すように、リングの内径は、ナイフやフォーク、歯ブラシなどの柄の部分を挿入することができると共に、スプーンやフォークなどの先端が引っかかる程度の大きさとなっている。
【００２５】
本実施形態では、吊り下げ具に様々な装飾を施すことで室内に設置する場合に好印象を与えることが可能となると共に、子供が自分でカップＣを掛けることを動機づけることができる。また、カップ以外の小物も、同時に引っ掛けて乾燥あるいは保持できる利点がある。
【００２６】
［７．第７の実施形態］
本実施形態は、図１３及び１４に示すように、各枝部３がＣ字形に形成され、Ｃ字の中央部分において支柱１に固定された形状を有する。このような本実施形態では、上下の各枝部３を使用してカップＣを吊り下げることができる点では他の実施形態と同様であるが、それに加えて、Ｃ字形になった各枝部３の内側にスプーンやフォーク、あるいは歯ブラシやカミソリなどを引っ掛けることができるので、収納スペースを節約することができる。
【００２７】
［８．第８の実施形態］
図１５及び図１６に示すように、本実施形態は、各枝部３の間隔が取っ手Ｈを挿入できる程度の大きさ、すなわち取っ手Ｈの断面寸法Ｈ１よりもやや広い寸法であり、しかも、枝部３が支柱１の上部から下部にかけて櫛歯状に配置されて、標準的なカップＣの取っ手Ｈ内に複数の枝部３が挿入できる構成である。また、中段の枝部３の一つには、取っ手Ｈを持たない製品を引っ掛けるための保持部４が設けられている。
【００２８】
本実施形態では、枝部３の間隔を狭めることによってスプーンやフォークなどのカトラリーを挟んで保持することもできる。カップＣを吊り下げる場合には、取っ手Ｈの内径寸法に合わせた数の枝部３を取っ手Ｈ内に挿入することで、カップＣの回動を阻止することができる。本実施形態によれば、カップＣだけでなくカトラリーもひとまとめに保持することができるので、収納スペースを節約することができる。また、枝部３に保持部４を設けてカトラリーを係止させることで、カトラリーの脱落が防止される。
【００２９】
［９．他の実施形態］
本発明は、前記の実施形態に限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００３０】
Ｃ…カップ
Ｈ…取っ手
１…支柱
２…係止部
３…枝部
４…保持部
５…デザイン表示部
【図１】
2020185140.tif 000003
【図２】
2020185140.tif 000004
【図３】
2020185140.tif 000005
【図４】
2020185140.tif 000006
【図５】
2020185140.tif 000007
【図６】
2020185140.tif 000008
【図７】
2020185140.tif 000009
【図８】
2020185140.tif 000010
【図９】
2020185140.tif 000011
【図１０】
2020185140.tif 000012
【図１１】
2020185140.tif 000013
【図１２】
2020185140.tif 000014
【図１３】
2020185140.tif 000015
【図１４】
2020185140.tif 000016
【図１５】
2020185140.tif 000017
【図１６】
2020185140.tif 000018
【手続補正書】
【提出日】令和2年8月17日(2020.8.17)
【手続補正１】
【補正対象書類名】特許請求の範囲
【補正対象項目名】全文
【補正方法】変更
【補正の内容】
【特許請求の範囲】
【請求項１】
上部が開口したカップ本体の側面にループ状の取っ手が設けられたカップの吊り下げ具であって、
上下方向に伸びる支柱と、
前記支柱の上部に設けられた吊り下げ用の係止部と、
前記支柱に設けられた３本以上の枝部と、を備え、
前記３本以上の枝部は、前記支柱の少なくとも一方の側面から先端が斜め上方に位置するように突出し、
前記枝部のそれぞれは、前記支柱の上下方向に対して間隔を保って設けられ、
前記３本以上の枝部のうち少なくとも１本の枝部が前記カップの取っ手部分に挿入され、
前記少なくとも１本の枝部よりも下方に設けられた別の１本の枝部が前記取っ手の外側または前記カップの側面に当接することにより、前記カップの開口を下に向ける吊り下げ具。
【請求項２】
前記係止部は、フック、ねじ止め、吸盤のいずれかひとつである請求項１に記載の吊り下げ具。
【請求項３】
前記３本以上の枝部が、前記支柱の側面の各方向にそれぞれ設けられている請求項１または請求項２に記載の吊り下げ具。
【請求項４】
前記支柱が間隔を保って複数本設けられ、各支柱にそれぞれ前記３本以上の枝部が設けられている請求項１から請求項３のいずれかに記載の吊り下げ具。
【請求項５】
前記支柱に、前記枝部に加えて、洗面具、調理器具、食器類の少なくとも一つの保持部が設けられている請求項１から請求項４のいずれかに記載の吊り下げ具。
【請求項６】
前記枝部が、洗面具、調理器具、食器類の少なくとも一つを係止するフック状の部材である請求項１から請求項４のいずれかに記載の吊り下げ具。
【請求項７】
前記枝部が前記支柱の上部から下部にかけて櫛歯状に配置されている請求項１から請求項３のいずれかに記載の吊り下げ具。
【請求項８】
前記支柱に、デザイン表示部が設けられている請求項１から請求項７のいずれかに記載の吊り下げ具。
【手続補正２】
【補正対象書類名】明細書
【補正対象項目名】０００８
【補正方法】変更
【補正の内容】
【０００８】
上記の目的を達成するために、本発明は、上部が開口したカップ本体の側面にループ状の取っ手が設けられたカップの吊り下げ具において、次の構成を有する。
（１）上下方向に伸びる支柱と、前記支柱の上部に設けられた吊り下げ用の係止部と、前記支柱に設けられた３本以上の枝部と、を備える。
（２）前記３本以上の枝部は、前記支柱の少なくとも一方の側面から先端が斜め上方に位置するように突出する。
（３）前記枝部のそれぞれは、前記支柱の上下方向に対して間隔を保って設けられる。
（４）前記３本以上の枝部のうち少なくとも１本の枝部が前記カップの取っ手部分に挿入される。
（５）前記少なくとも１本の枝部よりも下方に設けられた別の１本の枝部が前記取っ手の外側または前記カップの側面に当接することにより、前記カップの開口を下に向ける。
【手続補正３】
【補正対象書類名】明細書
【補正対象項目名】０００９
【補正方法】変更
【補正の内容】
【０００９】
本発明において、次のような構成を採用することもできる。
（１）前記係止部は、フック、ねじ止め、吸盤のいずれかひとつである。
（２）前記３本以上の枝部が、前記支柱の側面の各方向にそれぞれ設けられている。
（３）前記支柱が間隔を保って複数本設けられ、各支柱にそれぞれ前記３本以上の枝部が設けられている。
（４）前記支柱に、前記枝部に加えて、洗面具、調理器具、食器類の少なくとも一つの保持部が設けられている。
（５）前記枝部が、洗面具、調理器具、食器類の少なくとも一つを係止するフック状の部材である。
（６）前記枝部が前記支柱の上部から下部にかけて櫛歯状に配置されている。
（７）前記支柱に、デザイン表示部が設けられている。